(57)【要約】【課題】複数の医療施設が連携する医療情報管理システムにおいて、重複のない統一した患者ＩＤを発行できる医療情報管理システムを提供する。【解決手段】複数の医療施設がネットワークを介して接続されている医療情報管理システムであって、医療施設毎に配置され、医療施設毎に予め割り振られた異なる患者識別情報の範囲を記憶しており、要求を受けて、自己に記憶されている該範囲の中で重複しないように患者毎に統合識別情報を発行し、発行した統合識別情報を記憶する識別情報発行手段００２と、医療情報を記憶する記憶手段００３と、医療施設毎に配置され、統合識別情報に基づく検索要求を受けて、統合識別情報に対応付けられた医療情報を記憶手段００３から検索する検索手段００４とを備える。【選択図】図１
2008217308.tif 000002
【特許請求の範囲】
【請求項１】
複数の医療施設がネットワークを介して接続されている医療情報管理システムであって、
前記医療施設毎に配置され、前記医療施設毎に異なる予め割り振られた患者識別情報の範囲を記憶しており、要求を受けて、自己に記憶されている前記範囲の中で重複しないように患者毎に統合識別情報を発行し、発行した前記統合識別情報を記憶する識別情報発行手段と、
医療情報を記憶する記憶手段と、
前記医療施設毎に配置され、前記統合識別情報に基づく検索要求を受けて、前記統合識別情報に対応付けられた前記医療情報を前記記憶手段から検索する検索手段と
を備えることを特徴とする医療情報管理システム。
【請求項２】
所定時間経過後又は前記発行の要求を受けて、前記識別情報発行手段は他の前記医療施設に配置された前記識別情報発行手段から前記統合識別情報を受信し、自己が記憶する前記統合識別情報を更新することを特徴とする請求項１に記載の医療情報管理システム。
【請求項３】
前記識別情報発行手段は、
既に前記統合識別情報以外の患者識別情報である旧識別情報を有する患者に前記統合識別情報が発行された場合、
前記統合識別情報と旧識別情報との対応を記憶し、
前記検索手段は、
前記統合識別情報に基づく検索要求に対し、前記対応を参照し前記旧識別情報に対応付けられた前記医療情報の検索を行い、
前記旧識別情報に基づく検索要求に対し、前記対応を参照し前記統合識別情報に対応付けられた前記医療情報の検索を行う
ことを特徴とする請求項１又は請求項２に記載の医療情報管理システム。
【請求項４】
前記識別情報発行手段は、前記統合識別情報として使用する割り振られた範囲の患者識別情報が不足した場合、前記検索手段に記憶されている前記統合識別情報を参照し、割り振られた範囲の患者識別情報の使用状況が所定の割合を満たす他の前記識別情報発行手段から所定の範囲の前記患者識別情報を受け取り、前記範囲の前記患者識別情報を統合識別情報として発行する
ことを特徴とする請求項１乃至３のいずれか一つに記載の医療情報管理システム。
【発明の詳細な説明】
【技術分野】
【０００１】
本発明は、医療情報に各々患者の識別情報を付与し、その識別情報によって医療情報に係る患者を特定する技術に関する。
【背景技術】
【０００２】
病院等の医療施設における医療情報管理システムでは、そのシステムに患者の個人情報（氏名、生年月日及び性別等）が一旦受け付けられると、患者（個人情報）に対してその医療施設内で固有の患者ＩＤ等の識別情報が発行される。そして、そのような医療施設では受付時に発行した患者ＩＤを用いて、その後の種々の検査予約や読影予約、医用画像撮影／診断装置等から会計に至るまで、患者に係わる医療情報を識別している。
【０００３】
従来、患者ＩＤなどの患者の個人情報を保護するとともに、患者の個人情報の修正や変更が必要な場合、個人情報のデータベースの修正や変更をするだけで簡易に効率よく実施することができる医療情報管理システム（例えば、特許文献１参照。）が提案されている。
【０００４】
【特許文献１】特開２００６−２７７５４１号公報
【発明の開示】
【発明が解決しようとする課題】
【０００５】
しかし、近年ある医療施設から他の医療施設への患者紹介などで複数の医療施設が連携して一人の患者を管理するケースが増えてきている。そして、このような医療施設が連携を行う場合、複数の医療施設間で患者の医用画像も相互に参照しあう必要がある。
【０００６】
しかし、従来の医療情報管理システムでは、患者ＩＤなどの患者の識別情報は医療施設毎に発行され管理されていたため、複数の医療施設間における患者ＩＤの統一がなされていなかった。そのため、上述のような複数の医療施設が連携する場合においても、他の医療施設から送られてきた患者の医用画像を検索する場合、医用画像の送信元の医療施設で使用している患者ＩＤと検索しようとしている医療施設における患者ＩＤとが同じ患者でも異なってしまうため検索作業が困難になってしまう。
【０００７】
この発明は、このような事情に鑑みてなされたもので、複数の医療施設が連携する医療情報管理システムにおいて、重複のない統一した患者ＩＤを発行できる医療情報管理システムを提供することを目的としている。
【課題を解決するための手段】
【０００８】
上記目的を達成するために、請求項１に記載の発明は、複数の医療施設がネットワークを介して接続されている医療情報管理システムであって、前記医療施設毎に配置され、前記医療施設毎に異なる予め割り振られた患者識別情報の範囲を記憶しており、要求を受けて、自己に記憶されている前記範囲の中で重複しないように患者毎に統合識別情報を発行し、発行した前記統合識別情報を記憶する識別情報発行手段と、医療情報を記憶する記憶手段と、前記医療施設毎に配置され、前記統合識別情報に基づく検索要求を受けて、前記統合識別情報に対応付けられた前記医療情報を前記記憶手段から検索する検索手段とを備えることを特徴とするものである。
【発明の効果】
【０００９】
請求項１に記載の医療情報管理システムによると、複数の医療施設が連携する場合に患者に対し重複しない統合された統合識別情報を発行することができる。これにより、どの医療施設からでも特定の患者に発行された統合識別情報を使用して、自己が有する該患者の医療情報、又は他の医療施設が有する該患者の医療情報を検索することが可能となる。
【発明を実施するための最良の形態】
【００１０】
〔第１の実施形態〕
以下、この発明の第１の実施形態に係る医療情報管理システムについて説明する。図１は本発明に係る医療情報管理システムのブロック図である。
【００１１】
本実施形態ではネットワーク上に医療施設００１及び医療施設１０１が接続されている構成で説明しているが、この医療施設は複数であればいくつでもよい。
【００１２】
医療施設００１は識別情報発行手段００２、記憶手段００３、及び検索手段００４を有する。また、医療施設００１はＨＩＳ（Ｈｏｓｐｉｔａｌ  Ｉｎｆｏｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）等の医療情報管理システムを有しており、前述の識別情報発行手段００２、記憶手段００３、検索手段００４はこれらの医療情報管理システムに含まれてもよい。この構成は医療施設１０１も同様である。そして、医療施設００１と医療施設１０１はネットワークを介して情報の授受を行えるようネットワークに接続されている。以下では、医療施設００１及び医療施設１０１では同様の動作が行われるため、医療施設００１における識別情報発行手段００２、記憶手段００３、及び検索手段００４について主に説明する。
【００１３】
識別情報発行手段００２は、ＣＰＵ及び記憶領域を有し、予め割り振られた患者識別情報の自らが使用できる範囲を記憶している。この患者識別情報の範囲とは、例えば、図２に示すように、医療施設００１には００１００００００１〜００１９９９９９９、医療施設１０１には１０１００００００１〜１０１９９９９９９９というように、医療施設毎に識別情報である番号（以下では、単に「番号」ということがある。）の使用できる範囲を医療施設間で取り決めをおこなう。そして、その取り決めた番号の範囲を各医療施設の識別情報発行手段に記憶させる。識別情報発行手段００２は、００１００００００１〜００１９９９９９９９と表わされる番号の範囲を記憶している。また、識別情報発行手段１０２も同様に、１０１００００００１〜１０１９９９９９９９と表わされる番号の範囲を記憶している。
【００１４】
ここで、本実施形態では、どこの医療施設で発行されたかが一目で認識できるように、番号の割り当てとして先頭から三桁を医療施設を識別する番号に使用しているが、これは全ての医療施設の通し番号を使用して割り振ってもよい。さらに、図３に示すように、医療施設の施設番号３０１を病院毎に決めておき、それとは別に全ての医療施設の通し番号を使用して患者の識別情報３０２を割り振り、各医療施設では、割り振られた番号に決められた医療施設の番号を付加して統合識別情報３０３として発行してもよい。
【００１５】
識別情報発行手段００２は、特定の患者に対し統合識別情報発行の要求を操作者から受けた場合、００１００００００１〜００１９９９９９９９の範囲の中から他の患者と重複しない番号をその患者に対し発行する。操作者は、発行された統合識別情報を参照し、この発行された統合識別情報を自らが作成する電子カルテや医用画像などの医療情報に添付情報として付加していく。識別情報発行手段００２は、発行した統合識別情報を記憶する。
【００１６】
また、識別情報発行手段００２は、医療施設００１に配置されているＨＩＳなどの患者情報のデータベースを参照し、もしくは医師などからの入力を受けて、統合識別情報を発行しようとする患者に、旧識別情報が既に発行されているかを判断し、旧識別情報が既に発行されている場合には、新しく該患者に統合識別情報を発行するとともに、該統合識別情報に旧識別情報を対応付けて記憶する。
【００１７】
識別情報発行手段００２は、一日毎に、他の識別情報発行手段である識別情報発行手段１０２から識別情報発行手段１０２が有する統合識別情報及び対応付けられた旧識別情報を受け取るとともに識別情報発行手段１０２に自己が有する統合識別情報及び対応付けられた旧識別情報を送る。
【００１８】
識別情報発行手段００２は、識別情報発行手段１０２から受けた統合識別情報を基に、自己が記憶していない統合識別情報及び対応付けられた旧識別情報を追加、記憶する。この作業が全ての検索手段で行われることで、各医療施設毎に配置された識別情報発行手段が有する統合識別情報が統一される。
【００１９】
本実施形態では、識別情報発行手段００２は、統合識別情報の更新状況及びシステムの負荷を考慮して１日に１回の統合識別情報の送受信を行っているが、これは、各システムの運用状況に合わせて設定することが好ましく、例えば、半日に１回や２日に一回、もしくは操作者からの要求を受けたタイミングで送受信を行う構成にしてもよい。
【００２０】
記憶手段００３は医療施設００１で作成した医療情報又は他の医療施設（例えば、医療施設１０１）から送られてきた医療情報を記憶している。
【００２１】
検索手段００４は、操作者から統合識別情報に基づいた検索要求を受けて、記憶手段００３から該統合識別情報と対応する医療情報を検索する。またこのとき、識別情報発行手段００２が記憶している統合識別情報と旧識別情報の対応を参照し、該統合識別情報に対応付けられた旧識別情報がある場合には、記憶手段００３から該旧識別情報に対応する医療情報も検索する。
【００２２】
検索手段００４は、操作者から旧識別情報に基づいた検索要求を受けた場合、識別情報発行手段００２が記憶している統合識別情報と旧識別情報の対応を参照し、該旧識別情報に対応付けられた統合情報を記憶している場合には、記憶手段００３から該統合識別情報に対応する医療情報を検索する。またこのとき、検索手段００４は、旧識別情報に対応する医療情報も検索する。
【００２３】
検索手段００４は、検索した医療情報を検索要求した操作者の端末に送信する。
【００２４】
次に、図４及び図５を参照して、統合識別番号発行の動作の流れ及び検索の動作の流れを説明する。ここで、図４は本発明に係る医療情報管理システムにおける統合識別番号発行のフローチャートの図であり、図５は本発明に係る医療情報管理システムにおける検索のフローチャートの図である。
【００２５】
（発行）
Ｓ００１：複数の医療施設間で患者の識別情報を割り振り、使用できる識別情報の範囲を識別情報発行手段００２に記憶させる。
【００２６】
Ｓ００２：識別情報発行手段００２は、患者識別情報の発行要求を受けて、記憶している割り振られた識別情報を参照し、他の患者と重複しない統合識別情報を抽出する。
【００２７】
Ｓ００３：識別情報発行手段００２は、抽出した統合識別情報を発行し、発行を要求した医師の端末などに送る。
【００２８】
Ｓ００４：識別情報発行手段００２は、医療施設００１にあるデータベースを参照し、もしくは操作者からの入力を受けて、統合識別情報を発行する患者に旧識別情報が既に発行されているかを確認する。発行されていない場合にはステップＳ００５へ進み、発行されている場合にはステップＳ００７へ進む。
【００２９】
Ｓ００５：識別情報発行手段００２は、発行した統合識別情報を記憶する。
【００３０】
Ｓ００６：識別情報発行手段００２は、発行した統合識別情報と旧識別情報を対応付けて記憶する。
【００３１】
Ｓ００７：識別情報発行手段００２は、他の識別情報発行手段と相互に統合識別情報及び対応付けられた旧識別情報の受け渡しをおこない、記憶している統合識別情報及び対応付けられた旧識別情報を追加、更新する。
【００３２】
（検索）
Ｓ１０１：検索手段００４は、操作者からの検索要求を受け取る。
【００３３】
Ｓ１０２：検索手段００４は、検索要求が統合識別情報に基づくものか、旧識別情報に基づくものかを判断する。統合識別情報に基づくものであればステップＳ１０３にすすみ、旧識別情報に基づくものであればステップＳ１０６に進む。
【００３４】
Ｓ１０３：検索手段００４は、識別情報発行手段００２に記憶されている統合識別情報と旧識別情報の対応を参照し、受けた統合識別情報に対応する旧識別情報があるかを確認する。対応する旧識別情報があればステップＳ１０４に進み、対応する旧識別情報がなければステップＳ１０５に進む。
【００３５】
Ｓ１０４：検索手段００４は、受けた統合識別番号及びそれに対応する旧識別番号で、記憶手段００３の中に記憶されている医療情報を検索する。
【００３６】
Ｓ１０５：検索手段００４は、受けた統合識別番号で記憶手段００３の中に記憶されている医療情報を検索する。
【００３７】
Ｓ１０６：検索手段００４は、識別情報発行手段００２に記憶されている統合識別情報と旧識別情報の対応を参照し、受けた旧識別情報に対応する統合識別情報があるかを確認する。対応する統合識別情報があればステップＳ１０５に進み、対応する統合識別情報がなければステップＳ１０７に進む
【００３８】
Ｓ１０７：検索手段００４は、受けた旧識別番号で記憶手段００３の中に記憶されている医療情報を検索する。
【００３９】
Ｓ１０８：検索手段００４は、検索した医療情報を検索要求もとに送信する。
【００４０】
例えば、医療施設１０１で統合識別番号１０１００００００１を発行された患者Ａに付いて説明する。医療施設１０１から紹介を受けて、患者Ａが医療施設００１に紹介状を持って診察を受ける。このとき、医療施設１０１で作成された医用画像などの医療情報が医療施設００１に送られ、記憶手段００３に記憶される。この受け取った医療情報には統合識別番号１０１００００００１が付加されている。そして、患者Ａの診療を行う医療施設００１の医師は紹介状に記載されている統合識別番号１０１００００００１を参照し、その統合識別番号１０１００００００１に基づき検索手段００４を使用して、記憶手段００３の中を検索する。これにより、患者Ａを紹介した医療施設１０１から送られてきた医療情報を容易に検索することが可能となる。また、患者Ａの診療を行う医療施設００１の医師が必要とする医療情報が送られてきていない場合には、ネットワークを介して医療施設１０１に配置された記憶手段１０３の中から統合識別番号１０１００００００１に基づき検索手段００４を使用して患者Ａの医用情報を検索することも可能である。
【００４１】
以上のように、本実施形態に係る医療情報管理システムでは、連携している複数の医療施設で患者に対し統合された重複しない統合識別情報が発行されるため、特定の患者の医療情報を各医療施設間で連携して運用していくことが容易となる。
【００４２】
〔第２の実施形態〕
患者の識別情報に使用できる桁数は、例えばＤＩＣＯＭ（Ｄｉｇｉｔａｌ  Ｉｍａｇｅｉｎｇ  ａｎｄ  Ｃｏｍｍｕｎｉｃａｔｉｏｎｓ  ｉｎ  Ｍｅｄｉｃｉｎｅ）では１６桁と決められている。この場合、医療施設によっては最初に割当てられた識別情報では数が不足する場合が考えられる。そこで、第２の実施形態に係る医療情報管理システムは第１の実施形態に係る医療情報管理システムにおいて、特定の医療施設において統合識別情報として使用できる番号が不足した場合に、他の医療施設からあまっている識別情報を受け取る仕組みである。以下では、その他の構成は第１の実施形態と同様であるため、識別情報の不足に対しての各手段の動作を説明する。
【００４３】
識別情報発行手段００２は、割り振られた識別情報である００１００００００１〜００１９９９９９９９までの識別情報全てを使用してしまった場合、検索手段００４に記憶されている統合識別情報を参照する。そして、識別情報発行手段００２は、各識別情報発行手段における識別情報の使用の割合を求める。そして、５割以下の使用率でとどまっている識別情報発行手段のなかで使用率が最もひくい識別情報発行手段を選択する。以下では、識別情報発行手段１０２で割り振られた識別情報である識別情報１０１００００００１〜１０１９９９９９９９のうち１０１２００００００まで使用しており、識別情報の使用率が全ての識別情報発行手段のなかで最も低い場合で説明する。
【００４４】
識別情報発行手段００２は、選択した識別情報発行手段１０２に対し、識別情報の割り当てを要求する。
【００４５】
識別情報発行手段１０２は、識別情報の範囲の割り当ての要求を受けて、最初に割り当てられた範囲の２割を、自己が有する使用していない識別情報の範囲の中の最後から抜き出す。ここでは、識別情報発行手段１０２は、１０１８０００００１〜１０１９９９９９９９を抜き出す。そして、識別情報発行手段１０２は、抜き出した識別情報の割り当てを要求した識別情報発行手段００２に送信する。
【００４６】
識別情報発行手段００２は、識別情報発行手段１０２から受けた識別情報１０１８０００００１〜１０１９９９９９９９を記憶し、その記憶した識別情報の中から患者に統合識別情報を発行する。
【００４７】
本実施形態では、今後の使用させる確立を考慮し、識別情報を割り振ってもらう相手となる識別情報発行手段の選択を識別情報の使用率が５割以下としたが、これはシステムの運用に応じて値を考慮することが好ましく、また、割合でなく残りの識別情報の数を基準としてもよい。さらに、本実施形態では、識別情報が今後使用される程度を考慮し、識別情報を他の識別情報発行手段に割り当てる場合に、最初に割り振られた識別情報の範囲のうち２割としたが、これもシステムの運用に応じて値を考慮することが好ましく、また、割合でなく識別情報の数を基準としてもよい。
【００４８】
さらに、本実施形態では、識別情報発行手段１０２が最初の識別情報の割り振りで決められた番号を送り、その番号を受けた識別情報発行手段００２はそのまま統合識別情報として発行している。しかし、患者に対し統合識別情報を発行した医療施設を明確にしたい場合には、図３に示すように、医療施設の識別番号３０１を病院毎に決めておき、それとは別に全ての医療施設の通し番号を使用して患者の識別情報３０２を割り振り、各医療施設では、割り振られた番号に決められた施設番号を付加して統合識別情報３０３として発行するようにしておいてもよい。これにより、他の識別情報発行手段から新たに識別情報３０１を受け取ったときに、その識別情報に自己の施設番号３０２を付加して統合識別情報３０３として発行するため、統合識別情報３０３の番号が重複することなく、さらに、どの医療施設において発行された統合識別情報なのかを明確にすることが可能となる。
【００４９】
以上のように、識別情報発行手段が、自己の有する割り振られた識別情報が不足した場合に、識別情報の使用率の低い他の医療施設にある識別情報発行手段から識別情報を自動的にもらうことができるため、番号の不足による統合識別情報の発行の停止又は停滞を回避することが可能となる。
【図面の簡単な説明】
【００５０】
【図１】本発明に係る医療情報管理システムのブロック図
【図２】患者の識別情報の割り振りの一例を説明するための図
【図３】医療施設の施設番号と患者の識別情報を分けた場合の割り振りの一例を説明するための図
【図４】本発明に係る医療情報管理システムにおける統合識別番号発行のフローチャートの図
【図５】本発明に係る医療情報管理システムにおける検索のフローチャートの図
【符号の説明】
【００５１】
００１、１０１  医療施設
００２、１０２  識別情報発行手段
００３、１０３  記憶手段
００４  検索手段
【図１】
2008217308.tif 000003
【図２】
2008217308.tif 000004
【図３】
2008217308.tif 000005
【図４】
2008217308.tif 000006
【図５】
2008217308.tif 000007